(57)【要約】  被検者の外寄生領域（２７）を処置する装置（１０）において、装置は筐体（２０）と、前記筐体に結合した照明部（２２）とを備え、被検者の組織によりも前記領域（２７）の外寄生により良く吸収され、可視光と赤外光よりなる群から選択される発光スペクトルを有する光を放射するように構成された光源（２８）を含み、外寄生はシラミおよびシラミ卵よりなる群から選択される少なくとも一つの外寄生を含み、組織は被検者の皮膚および被検者の髪よりなる群から選択される少なくとも一つの組織を含む。装置（１０）は筐体（２０）に結合し領域（２７）に光を分配するように構成された導光体部（２４）をさらに備える。他の実施形態についても記載する。
2009504178.tif 000002
【特許請求の範囲】
【請求項１】
被検者の外寄生領域を処置する装置であって、
筐体と、
可視光と赤外光からなる群より選択された発光スペクトルを有する光を放射するように構成された光源を有する照明部であって、前記発光スペクトルは、前記被検者の組織よりも前記領域の外寄生により良く吸収され、前記組織は、前記被検者の皮膚および前記被検者の毛よりなる群から選択される少なくとも一つの組織を含み、前記外寄生は、シラミおよびシラミ卵よりなる群から選択される少なくとも一つの外寄生を含む、前記筐体に結合した照明部と、
前記筐体に結合し前記領域に前記光を分配するように構成された導光体部と、
を含む装置。
【請求項２】
前記外寄生はシラミと卵の両者を含み、前記光源は前記組織よりも前記外寄生により良く吸収される発光スペクトルを有する光を放射するように構成される請求項１に記載の装置。
【請求項３】
前記光源により発生する過剰な熱を除去するように構成された冷却ユニットを備える請求項１に記載の装置。
【請求項４】
前記導光体部が組み入れられたヘッドカバーを備える請求項１に記載の装置。
【請求項５】
前記導光体部が組み入れられた手袋を備える請求項１に記載の装置。
【請求項６】
前記光源が、白熱光点灯素子、レーザ、ＬＥＤよりなる群から選択される少なくとも一つの点灯素子を備える請求項１に記載の装置。
【請求項７】
前記導光体部が複数の方向からの光を分配するように構成されている請求項１に記載の装置。
【請求項８】
前記導光体部が組み入れられた櫛を備える請求項１〜請求項７のいずれか１項に記載の装置。
【請求項９】
歯を備え、前記導光体部が前記歯に組み入れられた導光体を含む請求項８に記載の装置。
【請求項１０】
前記発光スペクトルが０．５μｍと１０μｍとの間の波長を有し、前記光源が０．５μｍと１０μｍとの間の波長を有する発光スペクトルの光を放射するように構成されている請求項１〜７のいずれか１項に記載の装置。
【請求項１１】
前記発光スペクトルが６μｍと７μｍとの間の波長を有し、前記光源が６μｍと７μｍとの間の波長を有する発光スペクトルの光を放射するように構成されている請求項１０に記載の装置。
【請求項１２】
前記発光スペクトルが３μｍと３．５μｍとの間の波長を有し、前記光源が３μｍと３．５μｍとの間の波長を有する発光スペクトルの光を放射するように構成されている請求項１０に記載の装置。
【請求項１３】
前記発光スペクトルが３μｍと３．５μｍとの間および６μｍと７μｍとの間の波長を有し、前記光源が３μｍと３．５μｍとの間および６μｍと７μｍとの間の波長を有する発光スペクトルの光を放射するように構成されている請求項１０に記載の装置。
【請求項１４】
前記発光スペクトルが９μｍと１０μｍとの間の波長を有し、前記光源が９μｍと１０μｍとの間の波長を有する発光スペクトルの光を放射するように構成されている請求項１０に記載の装置。
【請求項１５】
被検者の外寄生領域を処置する装置であって、
筐体と、
可視光と赤外光からなる群より選択される発光スペクトルを有する光を放射するように構成された光源を備え、前記発光スペクトルは、前記被験者の組織よりもキチンにより良く吸収される、前記筐体に結合した照明部と、
前記筐体に結合し前記領域に前記光を分配するように構成された導光体部と、
を含む装置。
【請求項１６】
前記光源により発生する過剰な熱を除去するように構成されている冷却ユニットを備える請求項１５に記載の装置。
【請求項１７】
前記導光体部が組み入れられたヘッドカバーを備える請求項１５に記載の装置。
【請求項１８】
前記導光体部が組み入れられた手袋を備える請求項１５に記載の装置。
【請求項１９】
前記光源が、白熱光点灯素子、レーザ、ＬＥＤよりなる群から選択される少なくとも一つの点灯素子を備える請求項１５に記載の装置。
【請求項２０】
前記導光体部が複数の方向からの光を分配するように構成されている請求項１５に記載の装置。
【請求項２１】
前記導光体部が組み入れられた櫛を備える請求項１５〜２０のいずれか１項に記載の装置。
【請求項２２】
歯を備え、前記導光体部が前記歯に組み入れられた導光器を含む請求項２１に記載の装置。
【請求項２３】
前記発光スペクトルが０．５μｍと１０μｍとの間の波長を有し、前記光源が０．５μｍと１０μｍとの間の波長を有する発光スペクトルの光を放射するように構成されている請求項１５〜請求項２０のいずれか1項に記載の装置。
【請求項２４】
前記発光スペクトルが６μｍと７μｍとの間の波長を有し、前記光源が６μｍと７μｍとの間の波長を有する発光スペクトルの光を放射するように構成されている請求項２３に記載の装置。
【請求項２５】
前記発光スペクトルが３μｍと３．５μｍとの間の波長を有し、前記光源が３μｍと３．５μｍとの間の波長を有する発光スペクトルの光を放射するように構成されている請求項２３に記載の装置。
【請求項２６】
前記発光スペクトルは３μｍと３．５μｍとの間および６μｍと７μｍとの間の波長を有し、前記光源が３μｍと３．５μｍとの間および６μｍと７μｍとの間の波長を有する発光スペクトルの光を放射するように構成されている請求項２３に記載の装置。
【請求項２７】
前記発光スペクトルが９μｍと１０μｍとの間の波長を有し、前記光源が９μｍと１０μｍとの間の波長を有する発光スペクトルの光を放射するように構成されている請求項２３に記載の装置。
【請求項２８】
前記被検者の髪を動かすことにより、前記放射光の前記外寄生への適用を容易にするための部品を含んでいる請求項１または請求項１５に記載の装置。
【請求項２９】
前記部品が前記被検者の髪を持ち上げるように構成されている請求項２８に記載の装置。
【請求項３０】
前記部品が前記被検者の髪を分けるように構成されている請求項２８に記載の装置。
【請求項３１】
前記部品が櫛を含む請求項２８に記載の装置。
【請求項３２】
前記部品が単一孔吸引器を含む請求項２８に記載の装置。
【請求項３３】
前記部品が複数孔吸引器を含む請求項２８に記載の装置。
【請求項３４】
前記部品が柔軟ファスナーを含む請求項２８に記載の装置。
【請求項３５】
前記部品が一つ以上のヘアークリップを含む請求項２８に記載の装置。
【請求項３６】
被験者の処置方法であって、
前記被験者のシラミおよびシラミ卵からなる群より選択される少なくとも一つの外寄生を含む外寄生領域を特定することと、
前記被験者の皮膚および前記被験者の毛よりなる群から選択される少なくとも一つの組織を含む前記被験者の組織よりも前記領域の外寄生により良く吸収される、可視光および赤外光よりなる群から選択さえる発光スペクトルを有する光を放射することと、
前記光を前記領域に分配することと、
を含む方法。
【請求項３７】
前記外寄生がシラミおよび卵の両者を含み、前記外寄生を特定することがシラミおよび卵の両者を含む外寄生を特定する請求項３６に記載の方法。
【請求項３８】
前記光を放射することにより発生する過剰な熱を除去する請求項３６に記載の方法。
【請求項３９】
前記光を分配することが、前記外寄生領域の少なくとも一部を囲むヘッドカバーを配置し、前記ヘッドカバー内部で前記光を分配することを含む請求項３６に記載の方法。
【請求項４０】
前記光を放射することが手袋から光を放射することを含む請求項３６に記載の方法。
【請求項４１】
前記光を放射することが、白熱光点灯要素、レーザ、ＬＥＤよりなる群から選択される少なくとも一つの点灯要素を用いて前記光を放射することを含む請求項３６に記載の方法。
【請求項４２】
前記光を分配することが、複数の方向からの光を分配することを含む請求項３６に記載の方法。
【請求項４３】
前記光を放射することが、櫛から前記光を放射することを含み、光を分配することが、前記光を放射する間に櫛を使用することを含む請求項３６〜４２のいずれか１項に記載の方法。
【請求項４４】
前記光を放射することが、前記櫛の歯から光を放射することを含む、請求項４３に記載の方法。
【請求項４５】
前記発光スペクトルが０．５μｍと１０μｍとの間の波長を有し、前記光を放射することが０．５μｍと１０μｍとの間の波長を有する発光スペクトルの光を放射することを含む請求項３６〜請求項４２のいずれか１項に記載の方法。
【請求項４６】
前記発光スペクトルが６μｍと7μｍとの間の波長を有し、前記光を放射することが６μｍと7μｍとの間の波長を有する発光スペクトルの光を放射することを含む請求項４５に記載の方法。
【請求項４７】
前記発光スペクトルが３μｍと３．５μｍとの間の波長を有し、前記光を放射することが３μｍと３．５μｍとの間の波長を有する発光スペクトルの光を放射することを含む請求項４５に記載の方法。
【請求項４８】
前記発光スペクトルが３μｍと３．５μｍとの間および６μｍと７μｍとの間の波長を有し、前記光を放射することが３μｍと３．５μｍとの間および６μｍと７μｍとの間の波長を有する発光スペクトルの光を放射することを含む請求項４５に記載の方法。
【請求項４９】
前記発光スペクトルが９μｍと１０μｍとの間の波長を有し、前記光を放射することが９μｍと１０μｍとの間の波長を有する発光スペクトルの光を放射することを含む請求項４５に記載の方法。
【請求項５０】
被験者の処置方法であって、
前記被験者の外寄生領域を特定することと、
前記被験者の組織よりもキチンにより良く吸収される可視光および赤外光よりなる群から選択される発光スペクトルを有する光を放射することと、
前記光を前記領域に分配することと、
を含む方法。
【請求項５１】
発光により発生する過剰な熱を除去する請求項５０に記載の方法。
【請求項５２】
前記光を分配することが、前記外寄生領域の少なくとも一部を囲むヘッドカバーを配置し、前記ヘッドカバー内部で前記光を分配することを含む請求項５０に記載の方法。
【請求項５３】
前記光を放射することが手袋から光を放射することを含む請求項５０に記載の方法。
【請求項５４】
前記光を放射することが、白熱光点灯素子、レーザ、ＬＥＤよりなる群から選択される少なくとも一つの点灯素子を用いて前記光を放射することを含む請求項５０に記載の方法。
【請求項５５】
前記光を分配することが、複数の方向からの光を分配することを含む請求項５０に記載の方法。
【請求項５６】
前記光を放射することが櫛から前記光を放射することを含み、光を分配することが前記光が放射される間に櫛を使用することを含む請求項５０〜請求項５５のいずれか１項に記載の方法。
【請求項５７】
前記光を放射することが、前記櫛の歯から光を放射することを含む請求項５６に記載の方法。
【請求項５８】
前記発光スペクトルが０．５μｍと１０μｍとの間の波長を有し、前記光を放射することが０．５μｍと１０μｍとの間の波長を有する発光スペクトルの光を放射することを含む、請求項５０〜請求項５５のいずれか１項に記載の方法。
【請求項５９】
前記発光スペクトルが６μｍと7μｍとの間の波長を有し、前記光を放射することが６μｍと７μｍとの間の波長を有する発光スペクトルの光を放射する請求項５８に記載の方法。
【請求項６０】
前記発光スペクトルが３μｍと３．５μｍとの間の波長を有し、前記光を放射することが３μｍと３．５μｍとの間の波長を有する発光スペクトルの光を放射する請求項５８に記載の方法。
【請求項６１】
前記発光スペクトルが３μｍと３．５μｍとの間および６μｍと７μｍとの間の波長を有し、前記光を放射することが３μｍと３．５μｍとの間および６μｍと７μｍとの間の波長を有する発光スペクトルの光を放射する請求項５８に記載の方法。
【請求項６２】
前記発光スペクトルが９μｍと１０μｍとの間の波長を有し、前記光を放射することが９μｍと１０μｍとの間の波長を有する発光スペクトルの光を放射する請求項５８に記載の方法。
【請求項６３】
前記光を分配することが、前記被検者の髪を動かすことにより放射された光の前記外寄生への照射を容易にすることを含む請求項３６または請求項５０に記載の方法。
【請求項６４】
前記髪を動かすことが、前記被検者の髪を持ち上げることを含む請求項６３に記載の方法。
【請求項６５】
前記髪を動かすことが、前記被検者の髪を分けることを含む請求項６３に記載の方法。
【請求項６６】
前記髪を動かすことが、櫛を使用して髪を動かすことを含む請求項６３に記載の方法。
【請求項６７】
前記髪を動かすことが、単一孔吸引器を使用して髪を吸引することを含む請求項６３に記載の方法。
【請求項６８】
前記髪を動かすことが、複数孔吸引器を使用して髪を吸引することを含む請求項６３に記載の方法。
【請求項６９】
前記髪を動かすことが、柔軟ファスナーを使用して一時的に髪を結束することを含む請求項６３に記載の方法。
【請求項７０】
前記髪を動かすことが、一つ以上のヘアークリップを用いて髪を動かすことを含む請求項６３に記載の方法。
【発明の詳細な説明】
【技術分野】
【０００１】
関連発明の相互参照
本発明は、全て本出願の譲渡人に譲渡され、参照によりここに組み入れられる（ａ）２００５年８月１７日申請の米国仮出願第６０／７０９，３５３号、（ｂ）２００５年９月８日出願の米国仮出願第６０／７１５，５４５号、（ｃ）２００６年２月８日申請の米国仮出願第６０／７７１，９３７号の利益を主張する。
【０００２】
本発明は、一般に、虫の外寄生（ｉｎｆｅｓｔａｔｉｏｎ）に対する処理に関し、具体的にはシラミ駆除の方法と装置に関する。
【背景技術】
【０００３】
ヒトのシラミ寄生症は、ヒトの頭皮、体または陰部へのシラミの外寄生である。アタマジラミは頭部の毛髪に卵を産む。卵から幼虫が孵化し、これがシラミ成虫に成長する。従来、シラミ外寄生はリンデン、マラチオン、ペルメトリンなどの様々な殺虫剤を含むシャンプー、ローションおよびクリーム等の化学薬品によって処置されてきたが、これ等は一般にシラミを殺すものの卵は殺さない。これ等薬品による処置に続き、患部を入念に検査し卵を手作業で取り除く。手作業による卵除去の際に見落とされた卵から孵化したシラミを駆除し化学薬品による処置を有効にするためには、一般に処置を少なくとももう一度繰り返す必要がある。シラミは、一般に使用される薬品に対する耐性をますます高めている。
【０００４】
シラミ卵および幼虫の手作業による除去の難点を克服するため、歯並びの細かい櫛や特定の形状（たとえば根元の広い、またはダイヤモンド型）の歯を有した櫛を含む様々なシラミ櫛が開発されてきた。いくつかの櫛は卵の発見を補助ための拡大鏡を組み込んでいる。いくつかの櫛は、シラミを捕獲する接着剤の細片や点を組み込んでいる。いくつかの櫛は、髪の櫛通しを容易にし、髪をほぐし、および／またはシラミを退治するため、歯の振動や篩い分けを組み合せたモータを組み込んでいる。いくつかの櫛は、歯の間に捕獲したシラミを殺すように歯を加熱するための加熱要素を含んでいる。
【０００５】
いくつかの櫛は、シラミやノミを除去し、シラミを捕獲するために接着剤片に導き、および／またはシラミを殺虫剤含浸フィルタに導くための真空アタッチメントを含んでいる。いくつかの櫛はシラミを遠隔で感電死させるための感電死装置を含んでいる。いくつかの櫛は、動物ノミを殺虫剤含浸スポンジに払うための回転ブラシを含んでいる。いくつかの櫛は中空歯を備え、これを通じて櫛が蒸気または加熱空気を毛根に流す、または殺虫剤を分注する。（例えば、参照によりここに組み込まれる特許文献１（Ｌｏｒｅｎｚｏ）参照）いくつかの櫛は、頭部から害虫や菌類を殺菌するように設計された紫外線を放射する。
【０００６】
Ｅｐｉｌａｄｙ（登録商標）２０００、Ｌ．Ｌ．Ｃ．（Ｈａｔｚｏｒ  Ｈａｇｌｉｌｉｔ、イスラエル）は、シラミを感電死させる電動シラミ櫛ＲｏｂｉTM Ｃｏｍｂ Ｐｒｏを販売している。同社の櫛には、シラミ検出モードとシラミ駆除モードの二つの操作モードがあるものと記述されている。同様に、参照によりここに組み込まれる特許文献２（Ｋｏｐｐｅｌ）は、電流によるシラミと幼虫の除去について記載する。
【０００７】
参照によりここに組み込まれる特許文献３（Ｋｗａｎ）は、ヘアスタイル部分、および／または、毛皮の手入れもしくはスタイル用品の内部あるいは近傍にある紫外線放射源について記載している。この紫外線放射源は、髪および／または毛皮、さらに前記用品そのものに住みつく胞子、ウイルス、真菌、細菌およびシラミなどの微生物の殺滅を促進できるものと記載されている。
【０００８】
参照によりここに組み込まれる特許文献４（Ｋａｎｔｏｒら）は、使用者が手に持つように適宜構成された筐体と、前記筐体から外に伸びる複数の導電性歯と、前記複数の歯を前記筐体内に載置するための機器と、隣り合う歯に電位を負荷しそれにより歯と歯の間に丁度位置するシラミその他の害虫を感電死させるための機器と、歯の清掃を補助するために前記複数の歯のいくつかを他の歯に対して選択的に移動させるための機器とを備える手持ち式整髪装置について記載する。
【０００９】
参照によりここに組み込まれる特許文献５および特許文献６（Ｋａｎｔｏｒ）は、使用者が手に持つように適宜構成された筐体と、前記筐体から外に伸びる一列の導電性歯と、前記歯を前記筐体内に載置するための機器と、隣り合う歯に電位を負荷しそれにより歯と歯との間に丁度位置するシラミその他の害虫を感電死させるための機器とを備える手持ち式整髪装置について記載する。
【００１０】
参照によりここに組み込まれる特許文献７（Ｇｏｌａｎら）は、ハンドルと、前記ハンドルに関連付けられ軸の長手方向に伸びる髪分け機器と、前記髪分け機器の髪通しを容易にするように前記髪分け機器を繰り返し一群の髪に通すため前記髪分け機器を前記軸に対して振動させる機器と、前記髪分け機器が毛髪の生え際の皮膚に当たることを防ぐ機器とを備えるヘアートリート装置について記載する。髪分け機器は、典型的には毎分４，０００サイクル、好ましくは毎分１０，０００サイクルという比較的高い周波数と、典型的には５度以下、好ましくは２度以下という比較的小さな振幅で軸に対して振動する。
【００１１】
参照によりここに組み込まれる特許文献８（Ｄｅｂｏｕｒｇら）は、髪塊または表皮から発達した毛塊に存在する寄生虫を破壊する技法について記載し、その装置は、処理本体と、前記本体に固定され前記装置の使用中における前記髪塊または毛塊中の移動に適合した複数の歯を含む櫛と、前記歯が前記髪塊または毛塊中を移動する際に前記髪塊または毛塊の温度を少なくとも部分的に上昇させるためのエネルギー源とを備え、前記歯の少なくとも一部分は熱伝導性であり、前記髪塊または毛塊の前記部分に触れる寄生虫を破壊するのに十分な熱を供給するエネルギー源と関連動作することを特徴とする。
【００１２】
参照によりここに組み込まれる特許文献９および特許文献１０（Ｖａｎ  Ｓｃｏｉｋら）は、処置部の温度が平熱より高く、または低くなるような薬品を塗布することにより、ヒトまたは動物宿主からノミ、マダニ、ダニ、ダニ類、シラミなどの外部寄生虫を除去することについて記載している。一つの実施形態における処置は、水と接触する際に熱を放出する薬品を塗布することで効果を発揮する。温度の上昇または下降は寄生虫を固定し、櫛掛けなどによるこれ等の機械的除去を容易にする。
【００１３】
参照によりここに組み込まれる特許文献１１（Ｖａｎ  Ｓｃｏｉｋら）は、生物を乾燥させる薬品を患部に塗布することにより、ヒトまたは動物宿主からノミ、マダニ、ダニ、ダニ類、シラミなどの外部寄生虫を除去することについて記載している。一つの実施形態における処置は、水との強い親和性を有する実質的に無水の薬品を塗布することで効果を発揮する。薬品が水和すると害虫が乾燥し、櫛掛けなどによるこれ等の機械的除去を容易にする。
【００１４】
参照によりここに組み込まれる特許文献１２、特許文献１３および特許文献１４（Ｂｕｒｎｓら）は、キチンと結合し露光の際に蛍光を放射する色素に特定の部分を接触させることで、ヒトまたは動物の部分にあるキチン含有生物を検出する方法について記載する。キチン含有生物が処置部に存在すると、生物のキチンが色素と結合し、露光することでキチン含有有機体を目視し除去する事が出来る。
【００１５】
参照によりここに組み込まれる特許文献１５、特許文献１６、特許文献１７および特許文献１８（Ｐｅａｒｌｍａｎ）は、シラミ外寄生領域に有効な量の乾燥可能な静シラミ剤（pediculostatic ａｇｅｎｔ）を局所的に塗布し、シラミを固定化し、塗布部で薬剤を乾燥させ、乾燥した薬剤を除去し、それによってシラミと幼虫を除去する、アタマジラミ発生外寄生の除去、処置、防止方法およびキットについて記載する。
【００１６】
参照によりここに組み込まれる特許文献１９（Ｄｏｌｅｖ）は、筐体に取り付けられた一式の歯にむけて加熱空気の流れを送るための送風加熱器を備える携帯・手持ち式筐体として構成されたシラミ櫛装置について記載する。これらの歯のそれぞれには、その端部に開口部を有する中空の空洞が形成されている。加熱空気流は櫛歯を経由し開口部に送られ、そこで凹面により頭皮からそれて、毛根近くに付着したシラミおよびシラミ卵に当たる。加熱空気の温度がシラミおよびシラミ卵を破壊する。
【００１７】
参照によりここに組み込まれる特許文献２０（Ｒｅｉｄら）は幼虫視認用組成物を用いて、外寄生されたヒトはたは動物の毛からシラミ卵を除去する方法について記載する。この組成物は幼虫の表面に対して親和性のある染料を含み、これにより第２者が卵をより容易に目視し櫛掛けなどの除去方法で除去することを可能にする。着色物質が水またはアルコール系溶媒中、一つの実施形態では液化噴霧剤中、に分散されている。この組成物を外寄生されたヒトまたは動物の毛に塗布し、乾燥後にブラシ掛けまたは洗浄によって除去する。着色剤はキチン質外骨格および幼虫に残るシラミ卵の結合セメントに吸着され、これによりシラミ卵の視認と髪からの除去を容易にする。
【００１８】
参照によりここに組み込まれる特許文献２１（Ｓｐｉｅｓｅｌ）は、外部寄生虫および／またはその卵が取り付く皮膚や毛を着色せずにこれらを着色する蛍光染料を用い、宿主における節足外部寄生虫の外寄生を検出する方法について記載する。この染料はシャンプーまたはリンス液に組み入れられ、宿主の頭皮または他の部分に塗布される。適当な時間が経過した後に、染料を含む液またはシャンプーをすすぎ落とし、宿主の髪およびその近傍を紫外線または近紫外線のもとで検査する。このような照明により、着色された外部寄生虫および／または卵が輝き、結果、その後の診断と除去のための検出が容易になる。この方法は、疥癬（すなわち皮膚に潜むダニ類）、アタマジラミ、体部や陰部のシラミの検出に応用され、その他キチンを相当量含む節足外部寄生虫やその卵に適用される。
【特許文献１】欧州特許出願公開第１，００２，４７７号Ａ１
【特許文献２】米国特許第５，３１８，０５１号
【特許文献３】米国特許第６，０５３，１８０号
【特許文献４】米国特許第５，３５３，８１７号
【特許文献５】米国特許第５，０７２，７４６号
【特許文献６】米国特許第５，１７８，１６８号
【特許文献７】米国特許第５，０７８，１５７号
【特許文献８】米国特許第５，６２８，３３２号
【特許文献９】米国特許第６，６８５，９６９号
【特許文献１０】米国特許出願公開２００４／０１２６４０３
【特許文献１１】米国特許第６，６８９，３９４号
【特許文献１２】米国特許第６，８７５，４２１号
【特許文献１３】米国特許第６，４４０，３８８号
【特許文献１４】米国特許第５，９９７，８４６号
【特許文献１５】米国特許第６，５４１，４５５号
【特許文献１６】米国特許第６，３５０，７３４号
【特許文献１７】米国特許第６，３０３，５８１号
【特許文献１８】米国特許第６，２６５，３８４号
【特許文献１９】米国特許第５，２６１，４２７号
【特許文献２０】米国特許第５，９７２，９８７号
【特許文献２１】米国特許第５，９９７，８４７号
【発明の開示】
【００１９】
本発明の実施形態によるシラミおよび卵駆除装置は、筐体と、導光体と、ヒトまたは動物の皮膚や毛よりも生きたシラミおよび／または卵に良く吸収される発光スペクトルを有する光源を備える。典型的な発光スペクトルは、ヒトまたは動物の皮膚や毛にではなく、キチン、およびシラミおよび卵の外骨格に存在する多糖類に良く吸収されるものが選択される。任意の導光体は、外寄生領域が完全または部分的に毛によって遮蔽されていても外寄生領域を完全かつ均一に露光するように、複数の方向からの光線を分配するように作られている。発光スペクトルは典型的に可視または（近、中、遠）赤外スペクトルを含む。駆除装置は、典型的には手持ち式または自立式である。いくつかの用途では、駆除装置が櫛、ヘルメット、手袋、またはその他のシラミ、卵除去装置に組み込まれる。
【００２０】
したがって本発明の実施形態によれば、被検者の外寄生領域を処置するための装置が提供され、前記装置は、筐体と、前記筐体に結合した照明部であって、可視光と赤外線からなる群より選択される発光スペクトルにあって被検者の組織よりも前記領域の外寄生に良く吸収される発光スペクトルを有する光を放射するように構成された光源を含み、前記外寄生は、シラミおよびシラミ卵よりなる群より選択される少なくとも一つの外寄生を含み、前記組織は被検者の皮膚および被検者の皮膚の毛からなる群より選択される少なくとも一つの組織を含む照明部と、前記筐体に結合し前記領域に前記光を分配するように構成された導光体部を含む。
【００２１】
一実施形態における外寄生は、シラミと卵の両者を含み、光源は組織よりも外寄生により良く吸収される発光スペクトルを有する光を放射するように構成される。
【００２２】
いくつかの用途における装置は、光源から発生する過剰な熱を除去するように構成された冷却ユニットを含む。いくつかの用途における装置は、導光体部が一体化された櫛、ヘッドカバーおよび／または手袋を含む。例えば、櫛は歯を含み、導光体部は歯に一体化された導光器を含んでも良い。いくつかの用途における光源は、白熱光点灯素子、レーザ、ＬＥＤからなる群より選択される少なくとも一つの点灯素子を含む。いくつかの用途にける導光体部は複数の方向からの光を分配するように構成されている。
【００２３】
一実施形態における発光スペクトルは０．５μｍと１０μｍとの間の波長を有し、光源は０．５μｍと１０μｍとの間の波長を有する発光スペクトルの光を放射するように構成されている。いくつかの用途における発光スペクトルは６μｍと７μｍとの間の波長を有し、光源は６μｍと７μｍとの間の波長を有する発光スペクトルの光を放射するように構成されている。代わりに、いくつかの用途における発光スペクトルは３μｍと３．５μｍとの間の波長を有し、光源は３μｍと３．５μｍとの間の波長を有する発光スペクトルの光を放射するように構成されている。さらにいくつかの用途における代替例における発光スペクトルは９μｍと１０μｍとの間の波長を有し、光源は９μｍと１０μｍとの間の波長を有する発光スペクトルの光を放射するように構成されているさらに代わって、いくつかの用途における発光スペクトルは３μｍと３．５μｍとの間および６μｍと７μｍとの間の波長を有し、光源は３μｍと３．５μｍとの間および６μｍと７μｍとの間の波長を有する発光スペクトルの光を放射するように構成されている。
【００２４】
また本発明の実施形態によれば、被検者の外寄生領域を処置する装置が提供され、前記装置は、筐体と、前記筐体に結合した照明部であって、可視光と赤外線からなる群より選択される発光スペクトルにあって被検者の組織によりもそれらの領域の外寄生に良く吸収される発光スペクトルを有する光を放射するように構成された光源を含む照明部と、前記筐体に結合し前記領域に前記光を分配するように構成された導光体部とを含む。
【００２５】
いくつかの用途における前記装置は、前記光源から発生する過剰な熱を除去するように構成された冷却ユニットを含む。いくつかの用途における装置は、導光体部が一体化されたヘッドカバーを含む。代わりにいくつかの用途における装置は、導光体部が一体化された手袋を含む。さらに代わっていくつかの用途における装置は、導光体部が一体化された櫛を含む。例えば、櫛は歯を含み、導光体部は前記歯に一体化された導光器を含んでも良い。
【００２６】
いくつかの用途における光源は、白熱光点灯要素、レーザ、ＬＥＤからなる群より選択される少なくとも一つの点灯要素を含む。いくつかの用途にける導光体部は複数の方向からの光を分配するように構成されている。
【００２７】
一実施形態における発光スペクトルは０．５μｍと１０μｍとの間の波長を有し、光源は０．５μｍと１０μｍとの間の波長を有する発光スペクトルの光を放射するように構成されている。いくつかの用途における発光スペクトルは６μｍと７μｍとの間の波長を有し、光源は６μｍと７μｍとの間の波長を有する発光スペクトルの光を放射するように構成されている。代わりに、発光スペクトルは３μｍと３．５μｍとの間の波長を有し、光源は３μｍと３．５μｍとの間の波長を有する発光スペクトルの光を放射するように構成されている。さらに代わって、発光スペクトルは３μｍと３．５μｍとの間および６μｍと７μｍとの間の波長を有し、光源は３μｍと３．５μｍとの間および６μｍと７μｍとの間の波長を有する発光スペクトルの光を放射するように構成されているまたさらに代わって、発光スペクトルは９μｍと１０μｍとの間の波長を有し、光源は９μｍと１０μｍとの間の波長を有する発光スペクトルの光を放射するように構成されている。
【００２８】
一実施形態における装置は、被検者の髪の移動により放射光の外寄生への照射を容易にするための要素を含んでいる。例えばこの要素は、被検者の髪を持ち上げるおよび／または分けるように構成されている。いくつかの用途における前記要素は、櫛、単一孔吸引器、複数孔吸引器、柔軟なファスナーおよび／または一つ以上のヘアークリップを含む。
【００２９】
さらに本発明の実施形態によれば、被検者の処置方法が提供され、前記方法は、被検者のシラミ、シラミ卵からなる群より選択される少なくとも一つの外寄生による外寄生領域を特定することと、前記被検者の皮膚および前記被検者の毛よりなる群から選択される少なくとも一つの組織を含む前記被検者の組織よりも前記領域の外寄生により良く吸収される可視光および赤外線よりなる群から選択される発光スペクトルを有する光を放射することと、前記光を前記領域に分配することとを含む。
【００３０】
さらに本発明の実施形態によれば被検者の処置方法が提供され、前記方法は被検者の領域の外寄生を特定することと、前記被検者の組織によりもキチンにより良く吸収される可視光および赤外線よりなる群から選択される発光スペクトルを有する光を放射することと、前記光を前記領域に分配することとを含む。
【００３１】
一実施形態における光を分配することは、被検者の髪を持ち上げるおよび／または分けるなどして動かすことにより放射光が外寄生に当たることを容易にすることを含む。いくつかの用途にける髪の移動は、櫛の使用、単一孔または複数孔吸引器による吸引、髪の柔軟なファスナーへの一時的な結束、および／または一つ以上のヘアークリップにより髪を移動すること含む。本発明は、添付図面と共に以下の実施形態の詳細な記述によってより良く理解されるであろう。
【発明を実施するための最良の形態】
【００３２】
図１は本発明の一実施形態によるシラミおよび卵駆除システム１０の概略ブロック図である。システム１０は、筐体２０と、照明部２２と、導光体部２４と、電源２６とを備える。導光体部２４は光線４４で示される光を、被検者の頭など外寄生領域２７に分配する。
【００３３】
照明部２２は、少なくとも一つの白熱灯光源、少なくとも一つのレーザ、および／または少なくとも一つのＬＥＤ光源を一般的に含む少なくとも一つの光源２８を備える。光源２８が白熱灯光源を含むいくつかの用途では、照明部２２が所望のスペクトルバンドの一つ以上だけを通す少なくとも一つの光学フィルタ３０をさらに備える。光源２８が選択的な波長の光を放射するレーザを備える用途では、フィルタ３０は一般に不要である。照明部２２は、パルスまたは実質的に連続な光を放射する。いくつかの用途におけるシステム１０は、光源２８から発生する熱を除去するために、ブロアーや水冷システム等の冷却ユニット３２を備える。
【００３４】
図２は本発明の一実施形態に従って測定したキチンの透過率スペクトルを示すグラフである。照明部２２は、ヒトまたは動物の皮膚や毛などの組織よりも、シラミおよび／または卵により良く吸収される発光スペクトルを有する光を放射するように構成されている。典型的な発光スペクトルは、ヒトまたは動物の皮膚や毛にではなく、キチン、すなわちシラミおよび卵の外骨格に存在する多糖類、に良く吸収されるものが選択される。従って、発光スペクトルは被検者の組織よりも外寄生により良く吸収される。典型的な照明は、シラミおよび／または卵を駆除するのに十分な一方、被検者に痛みや組織障害が起こらないレベルに設定される。
【００３５】
以下の表は、図２の透過率スペクトルのいくつかのピークを取り上げたものである。
【表１】
2009504178.tif 000003
システム１０によって放射される光を放射することスペクトルは不連続でも連続でも良く、典型的には可視光または（近、中、遠）赤外光のスペクトル内の波長範囲を有する。例えば波長範囲は約０．５μｍと約１０μｍの間、例えば約３μｍと３．５μｍの間、約６μｍと７μｍの間、および／または約９μｍと１０μｍの間である。
【００３６】
図３Ａおよび３Ｂは本発明の各実施形態による光源２８の概略断面図である。これらの実施形態における光源２８は、選択された発光スペクトルの放射に適当な温度に加熱された白熱灯光源を備える。白熱灯光源は、例えばタングステン、タンタルまたはモリブデンを含み、（例えばらせん状に）巻かれ電気回路によって加熱されるフィラメント４０を備える。フィラメント４０は、石英、シリコン、ガリウムヒ素（ＧａＡｓ）、ゲルマニウム、サファイアなどの赤外線透過材料を含むチューブ４２によって囲まれている。例えば光源２８は、いずれもＨｅｒａｅｕｓ Ｈｏｌｄｉｎｇ ＧｍｂＨ （ハナウ、ドイツ)製の中波双管発光器または短波発光器"Ｑｕａｔｒｏ” Ｎｏ．４５１３１６０８を備え、システム１０はブロアーまたは水冷システムなどの冷却ユニット３２を備えることが出来る。図３Ａに示す遮蔽のない構成における光源２８は、光線４４で象徴的に示されるように、全ての方向に光を送る。図３Ｂに示す構成における光源は、光が例えば半円方向など限られた方向のみに送られるようにチューブ４２の部分を覆う被覆４６をさらに備える。被覆４６は典型的には反射性で、例えば金、アルミニウム、または銀を含む。
【００３７】
図４Ａおよび４Ｂは、本発明の各実施形態による照明部２２の概略断面図である。図４Ａに示す実施形態では、照明部２２が図３Ａを参照しつつ上述したような非遮蔽の光源２８を複数備える。図４Ｂに示す実施形態では、照明部２２が図３Ａを参照しつつ上述したような遮蔽された光源２８を複数備える。図４および４Ｂに示す構成は、単一の光源２８が必要とされるエネルギーの供給が不十分な場合に典型的に用いられる。
【００３８】
再び図１を参照する。照明部２２から放射された光は導光体部２４を通過する。導光体部２４は、外寄生領域２７が髪で覆われている場合でも均一（即ちエネルギー密度（ワット／ｃｍ2）が均一）かつ全体的に露光するように複数の方向から入射する光を適宜分配するように作られている。導光体部２４は画像形成光学系または非画像形成光学系の何れかを備える。
【００３９】
本発明の実施形態による導光体部２４の概略構成図である図５を参照する。本実施形態における導光体部２４は、光源２８の光を外寄生領域２７に実質的に均一に分配するように構成された非結像光学照明器５０を備える。例えば光線４４ａと４４ｂは、異なる方向から点５２に到達する。典型的には、光は複数の方向から外寄生領域２７の全ての点に到達するため、髪などの障害物によって一つ以上の方向に遮蔽された領域にも到達する。
【００４０】
導光体部２４が一つ以上の光ファイバー６０を備えるシステム１０の概略図である図６を参照する。本実施形態におけるシステム１０は、典型的には被検者の頭部である外寄生領域２７の少なくとも一部を囲むように適合したヘッドカバー６２を備えている。典型的なヘッドカバー６２はヘルメット状に成形されている。
【００４１】
本発明の一実施形態におけるシステム１０は、１μｍから７μｍの波長域で光束が約０．０８ワット／ｃｍ2と０．２４ワット／ｃｍ2の間、ピーク値約２．５μｍの光を供給するように構成されている（中波放射体）。本発明の一つの実施形態におけるシステム１０は、０．５μｍから５μｍ波長域で光束が約０．２３ワット／ｃｍ2と０．４６ワット／ｃｍ2の間、ピーク値約１．２μｍの光を供給するように構成されている（短波放射体）。
【００４２】
次表は本発明の実施形態に従って実施されたシラミ死滅実験の結果である。
【表２】
2009504178.tif 000004
実験群１では１０個のシラミと１０個の卵に、０．５μｍから５μｍ波長域でピーク値約１．２μｍの短波放射体からの連続光を同時に露光した。実験群２では１０個のシラミと１０個の卵に、１μｍから７μｍ波長域でピーク値約２．５μｍの中波放射体からの連続光を同時に露光した。実験群３では、放射体とシラミおよび卵との間に２．８μｍから３．８μｍの帯域通過フィルタを追加配置した。各実験群は、１０個のシラミと１０個の卵の対照群を含む。対照群のシラミと卵には放射体からの光を露光せず、３つ全ての実験群において０％と１０％との間の致死率であった。実験群２および３における露光レベルは、健康基準で一般に許容される最大許容線量（ＭＰＥ）以下であることを留意すべきである。
【００４３】
本発明の一実施形態における筐体２０は、システム１０の取っ手として機能するように作られている。代わりに、システム１０を自立式としても良い。いくつかの用途では、システム１０が櫛、ヘルメット、手袋、またはその他のシラミ、卵除去装置に組み込まれる。例えば、システム１０は手袋を含み、照明部は一つ以上のＬＥＤを含む。いくつかの用途における導光体部２４は、櫛の歯など、櫛に組み込まれた導光器を備える。システム１０は、光が外寄生に当たり易くするための髪上げおよび／または髪分け要素を代替的または追加的に備える。この要素は、例えば櫛、単一孔もしくは複数孔の吸引器、髪に付着するファスナー（例、ベルクロ（登録商標））、一つ以上のヘアークリップ、またはここに参照のため組み入れる上述に参照の米国特許第５，０７８，１５７号（Ｇｏｌａｎら）に記載の装置を含んでも良い。
【００４４】
本発明の一実施形態では、ここに記述の技法と装置が、上記背景技術に記述した一つ以上の特許および特許出願公開のシラミおよび卵駆除技法と組み合わされる。
【００４５】
ここではシステム１０がシラミ外寄生の処置に適当なものと記載したが、本システムはノミ、マダニ、ダニ類および疥癬など他の外部寄生虫の処置にも使用することが出来る。さらに、ここに記載の方法と装置は、ヒトおよび動物に影響を与える外部寄生性の寄生に一般に適用できることを留意すべきである。
【００４６】
本発明は上に具体的に示し記述した内容に限定されないことを当業者は理解するであろう。むしろ本発明の範囲は、従来技術に無い変形や改良と同様、ここに上述した特徴の組み合わせおよび副結合を含むもので、上の記述を読むことで当業者が想起する内容を含む。
【図面の簡単な説明】
【００４７】
【図１】本発明の一実施形態によるシラミおよび卵駆除システムの概略ブロック図である。
【図２】本発明の一実施形態に従って使用されるキチンの透過率スペクトルを示すグラフである。
【図３】図３ＡおよびＢは本発明の図１に示す実施形態によるシステムの光源の概略断面図である。
【図４】図４ＡおよびＢは本発明の図１に示す実施形態によるシステムの照明部の概略断面図である。
【図５】本発明の図１に示す実施形態によるシステムの導光体部の概略構成図である。
【図６】本発明の実施形態に従ったヘッドカバーを備える図１のシステムの概略図である。
【符号の説明】
【００４８】
１０    シラミおよび卵駆除システム
２０    筐体
２２    照明部
２４    導光体部
２６    電源
２７    外寄生領域
２８    光源
３０    フィルタ
３２    冷却ユニット
４０    フィラメント
４２    チューブ
４４    光線
４６    被覆
５０    非結像光学照明器
６０    光ファイバー
６２    ヘッドカバー
【図１】
2009504178.tif 000005
【図２】
2009504178.tif 000006
【図３Ａ】
2009504178.tif 000007
【図３Ｂ】
2009504178.tif 000008
【図４Ａ】
2009504178.tif 000009
【図４Ｂ】
2009504178.tif 000010
【図５】
2009504178.tif 000011
【図６】
2009504178.tif 000012
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
被検者の外寄生領域を処置する装置であって、
筐体と、
可視光と赤外光からなる群より選択された発光スペクトルを有する光を放射するように構成された光源を有する照明部であって、前記発光スペクトルは、０．５μｍと１０μｍの間の波長を有し、前記被検者の組織よりも前記領域の外寄生により良く吸収され、前記組織は、前記被検者の皮膚および前記被検者の毛よりなる群から選択される少なくとも一つの組織を含み、前記外寄生は、シラミおよびシラミ卵よりなる群から選択される少なくとも一つの外寄生を含む、前記筐体に結合した照明部と、
前記筐体に結合し前記照明部による前記外寄生領域の照明を容易にするように構成された歯と、
を含む装置。
【請求項２】
前記外寄生は、シラミと卵の両者を含み、前記光源は、前記組織よりも前記外寄生により良く吸収される発光スペクトルを有する光を放射するように構成される請求項１に記載の装置。
【請求項３】
前記光源により発生する過剰な熱を除去するように構成された冷却部を備える請求項１に記載の装置。
【請求項４】
前記照明部による前記領域の照明を容易にするように構成されたヘッドカバーを備える請求項１に記載の装置。
【請求項５】
前記光源が、白熱光点灯素子、レーザ、ＬＥＤよりなる群から選択される少なくとも一つの点灯素子を備える請求項１に記載の装置。
【請求項６】
前記歯を有する櫛を備える請求項１〜請求項５のいずれか１項に記載の装置。
【請求項７】
前記発光スペクトルが６μｍと７μｍとの間の波長を有し、前記光源が６μｍと７μｍとの間の波長を有する発光スペクトルの光を放射するように構成されている請求項１に記載の装置。
【請求項８】
前記発光スペクトルが３μｍと３．５μｍとの間の波長を有し、前記光源が３μｍと３．５μｍとの間の波長を有する発光スペクトルの光を放射するように構成されている請求項１に記載の装置。
【請求項９】
前記発光スペクトルが３μｍと３．５μｍとの間および６μｍと７μｍとの間の波長を有し、前記光源が３μｍと３．５μｍとの間および６μｍと７μｍとの間の波長を有する発光スペクトルの光を放射するように構成されている請求項１に記載の装置。
【請求項１０】
前記発光スペクトルが９μｍと１０μｍとの間の波長を有し、前記光源が９μｍと１０μｍとの間の波長を有する発光スペクトルの光を放射するように構成されている請求項１に記載の装置。
【請求項１１】
被検者の外寄生領域を処置する装置であって、
筐体と、
可視光と赤外光からなる群より選択される発光スペクトルを有する光を放射するように構成された光源を備え、前記発光スペクトルは、０．５μｍと１０μｍの間の波長を有し、前記被検者の組織よりもキチンにより良く吸収される、前記筐体に結合した照明部と、
前記筐体に結合し前記照明部による前記外寄生領域の照明を容易にするように構成された導光体部と、
を含む装置。
【請求項１２】
前記光源により発生する過剰な熱を除去するように構成されている冷却部を備える請求項１１に記載の装置。
【請求項１３】
前記照明部による前記領域の照明を容易にするように構成されたヘッドカバーを備える請求項１１に記載の装置。
【請求項１４】
前記光源が、白熱光点灯素子、レーザ、ＬＥＤよりなる群から選択される少なくとも一つの点灯素子を備える請求項１１に記載の装置。
【請求項１５】
前記前記歯を有する櫛を備える請求項１１〜１４のいずれか１項に記載の装置。
【請求項１６】
前記発光スペクトルが６μｍと７μｍとの間の波長を有し、前記光源が６μｍと７μｍとの間の波長を有する発光スペクトルの光を放射するように構成されている請求項１１に記載の装置。
【請求項１７】
前記発光スペクトルが３μｍと３．５μｍとの間の波長を有し、前記光源が３μｍと３．５μｍとの間の波長を有する発光スペクトルの光を放射するように構成されている請求項１１に記載の装置。
【請求項１８】
前記発光スペクトルは３μｍと３．５μｍとの間および６μｍと７μｍとの間の波長を有し、前記光源が３μｍと３．５μｍとの間および６μｍと７μｍとの間の波長を有する発光スペクトルの光を放射するように構成されている請求項１１に記載の装置。
【請求項１９】
前記発光スペクトルが９μｍと１０μｍとの間の波長を有し、前記光源が９μｍと１０μｍとの間の波長を有する発光スペクトルの光を放射するように構成されている請求項１１に記載の装置。
【請求項２０】
前記歯は、前記被検者の髪を動かすことにより、前記放射光の前記外寄生への適用を容易にするように構成された請求項１１に記載の装置。
【請求項２１】
前記歯は、前記被検者の髪を持ち上げるように構成されている請求項２０に記載の装置。
【請求項２２】
前記歯は、前記被検者の髪を分けるように構成されている請求項２０に記載の装置。
【請求項２３】
被検者の処置方法であって、
前記被検者のシラミおよびシラミ卵からなる群より選択される少なくとも一つの外寄生を含む外寄生領域を特定することと、
０．５μｍと１０μｍの間の波長を有し、前記被検者の皮膚および前記被検者の毛よりなる群から選択される少なくとも一つの組織を含む前記被検者の組織よりも前記領域の外寄生により良く吸収され、可視光および赤外光よりなる群から選択される発光スペクトルを有する光を放射することと、
前記被検者の毛を動かすことにより前記放射光の適用を容易にすることと、
を含む方法。
【請求項２４】
前記外寄生がシラミおよび卵の両者を含み、前記外寄生を特定することがシラミおよび卵の両者を含む外寄生を特定する請求項２３に記載の方法。
【請求項２５】
前記光を放射することにより発生する過剰な熱を除去する請求項２３に記載の方法。
【請求項２６】
前記放射光の適用を容易にすることが、前記外寄生領域の少なくとも一部を囲むヘッドカバーを配置し、前記ヘッドカバーを用いて前記適用を容易にすることを含む請求項２３に記載の方法。
【請求項２７】
前記光を放射することが、白熱光点灯素子、レーザ、ＬＥＤよりなる群から選択される少なくとも一つの点灯素子を用いて前記光を放射することを含む請求項２３に記載の方法。
【請求項２８】
前記光を放射することが、櫛から前記光を放射することを含み、前記光を照射することが、前記光を放射する間に櫛を使用することを含む請求項２３〜２７のいずれか１項に記載の方法。
【請求項２９】
前記光を放射することが、前記櫛の歯から光を放射する請求項２８に記載の方法。
【請求項３０】
前記発光スペクトルが６μｍと７μｍとの間の波長を有し、前記光を放射することが６μｍと７μｍとの間の波長を有する発光スペクトルの光を放射する請求項２３に記載の方法。
【請求項３１】
前記発光スペクトルが３μｍと３．５μｍとの間の波長を有し、前記光を放射することが３μｍと３．５μｍとの間の波長を有する発光スペクトルの光を放射することを含む請求項２３に記載の方法。
【請求項３２】
前記発光スペクトルが３μｍと３．５μｍとの間および６μｍと７μｍとの間の波長を有し、前記光を放射することが３μｍと３．５μｍとの間および６μｍと７μｍとの間の波長を有する発光スペクトルの光を放射することを含む請求項２３に記載の方法。
【請求項３３】
前記発光スペクトルが９μｍと１０μｍとの間の波長を有し、前記光を放射することが９μｍと１０μｍとの間の波長を有する発光スペクトルの光を放射することを含む請求項２３に記載の方法。
【請求項３４】
被検者の処置方法であって、
前記被検者の外寄生領域を特定することと、
０．５μｍと１０μｍの間の波長を有し、前記被検者の組織よりもキチンにより良く吸収される可視光および赤外光よりなる群から選択される発光スペクトルを有する光を放射することと、
前記被検者の毛を動かすことにより前記放射光の適用を容易にすることと、
を含む方法。
【請求項３５】
発光により発生する過剰な熱を除去する請求項３４に記載の方法。
【請求項３６】
前記放射光の適用を容易にすることが、前記外寄生領域の少なくとも一部を囲むヘッドカバーを配置し、前記ヘッドカバーを用いて前記適用を容易にすることを含む請求項３４に記載の方法。
【請求項３７】
前記光を放射することが、白熱光点灯素子、レーザ、ＬＥＤよりなる群から選択される少なくとも一つの点灯素子を用いて前記光を放射することを含む請求項３４に記載の方法。
【請求項３８】
前記光を放射することが、櫛から前記光を放射することを含み、前記光の適用を容易にすることが前記光が放射される間に櫛を使用することを含む請求項３４〜３７のいずれか１項に記載の方法。
【請求項３９】
前記光を放射することが、前記櫛の歯から光を放射することを含む請求項３８に記載の方法。
【請求項４０】
前記発光スペクトルが６μｍと７μｍとの間の波長を有し、前記光を放射することが６μｍと７μｍとの間の波長を有する発光スペクトルの光を放射する請求項３４に記載の方法。
【請求項４１】
前記発光スペクトルが３μｍと３．５μｍとの間の波長を有し、前記光を放射することが３μｍと３．５μｍとの間の波長を有する発光スペクトルの光を放射する請求項３４に記載の方法。
【請求項４２】
前記発光スペクトルが３μｍと３．５μｍとの間および６μｍと７μｍとの間の波長を有し、前記光を放射することが３μｍと３．５μｍとの間および６μｍと７μｍとの間の波長を有する発光スペクトルの光を放射する請求項３４に記載の方法。
【請求項４３】
前記発光スペクトルが９μｍと１０μｍとの間の波長を有し、前記光を放射することが９μｍと１０μｍとの間の波長を有する発光スペクトルの光を放射する請求項３４に記載の方法。
【請求項４４】
前記髪を動かすことが、前記被検者の髪を持ち上げることを含む請求項２３又は３４に記載の方法。
【請求項４５】
前記髪を動かすことが、前記被検者の髪を分けることを含む請求項２３又は３４に記載の方法。
【請求項４６】
前記髪を動かすことが、櫛を使用して髪を動かすことを含む請求項２３又は３４に記載の方法。
【請求項４７】
前記髪を動かすことが、単一孔吸引器を使用して髪を吸引することを含む請求項２３又は３４に記載の方法。
【請求項４８】
前記髪を動かすことが、複数孔吸引器を使用して髪を吸引することを含む請求項２３又は３４に記載の方法。
【請求項４９】
前記髪を動かすことが、柔軟ファスナーを使用して一時的に髪を結束することを含む請求項２３又は３４に記載の方法。
【請求項５０】
前記髪を動かすことが、一つ以上のヘアークリップを用いて髪を動かすことを含む請求項２３又は３４に記載の方法。
【請求項５１】
前記歯は、前記被検者の毛を動かすことにより前記外寄生へ前記放射光の適用を容易にするように構成される請求項１に記載の装置。
【請求項５２】
前記歯は、前記被検者の髪を持ち上げるように構成される請求項５１に記載の装置。
【請求項５３】
前記歯は、前記被検者の髪を分けるように構成される請求項５１に記載の装置。
【請求項５４】
前記放射光の適用を容易にすることが、前記適用を容易にするために歯を用いることを含む請求項２３又は３４に記載の方法。
【国際調査報告】
2009504178.tif 000013
2009504178.tif 000014